(57)【特許請求の範囲】
【請求項１】
外観部材の内部に通水路部材が配置された構造のシャワーヘッドであって、
供給された湯水が通水される通水路部材と、
前記通水路部材に接続され、流入した湯水を吐出させる散水部と、
前記通水路部材を覆う外観部材と、
を備え、
前記外観部材は、前記通水路部材に沿って分割される第１外観部材と第２外観部材とを備え、前記第１外観部材と、前記第２外観部材とは、これらの間に前記通水路部材を挟み込むようにして配置し、
前記第１外観部材および前記通水路部材は、一方に通水方向に沿った溝部を形成する第１溝部を有し、他方に前記第１溝部と係合する第１突起部を有しており、前記第１溝部は通水方向に延びる第１溝部外側凸部と第１溝部中央側凸部との間に形成され、前記第１溝部内に前記第１突起部を通水方向にスライドさせて受け入れることにより前記第１外観部材の開き方向の移動を規制するように前記第１溝部外側凸部と前記第１溝部中央側凸部との間に前記第１突起部が配置され、前記第１溝部と前記第１突起部とが前記第１外観部材と前記通水路部材とを係合する第１スライド機構を形成し、
前記第２外観部材および前記通水路部材は、一方に通水方向に沿った溝部を形成する第２溝部を有し、他方に前記第２溝部と係合する第２突起部を有しており、前記第２溝部は通水方向に延びる第２溝部外側凸部と第２溝部中央側凸部との間に形成され、前記第２溝部と、前記第２突起部とが、前記第２溝部内に前記第２突起部を通水方向にスライドさせて受け入れることにより前記第２外観部材の開き方向の移動を規制するように前記第２溝部外側凸部と前記第２溝部中央側凸部との間に前記第２突起部が配置され、前記第２溝部と前記第２突起部とが前記第２外観部材と前記通水路部材とを係合する第２スライド機構を形成し、
前記第１スライド機構の前記第１外観部材と前記通水路部材とが係合され、前記第２スライド機構の前記通水路部材と前記第２外観部材とが係合されることにより、前記通水路部材を介して前記第１外観部材と前記第２外観部材とが接続され、全体が一体化されることを特徴とするシャワーヘッド。
【請求項２】
さらに、前記外観部材に対する前記通水路部材の通水方向の移動を規制する規制手段を備え、
前記第１スライド機構の前記第１突起部が、前記第１溝部内の所定位置までスライドされたとき、前記外観部材に対する前記通水路部材の通水方向の移動が前記規制手段によって規制され、
前記第２スライド機構の前記第２突起部が、前記第２溝部内の所定位置までスライドされたとき、前記外観部材に対する前記通水路部材の通水方向の移動が前記規制手段によって規制される請求項１に記載のシャワーヘッド。
【請求項３】
前記規制手段は、
前記第１外観部材に設けられた第１突起部と、
前記通水路部材に設けられた第２突起部とを備え、
前記第１突起部は、前記第２突起部よりも上流側に配置され、
前記第１突起部は、前記第１外観部材に対する前記通水路部材の上流側への移動を、前記通水路部材の前記第２突起部と当接することにより規制するようになっている請求項２に記載のシャワーヘッド。
【請求項４】
前記規制手段は、
前記第２外観部材に設けられた第４突起部と、
前記通水路部材に設けられた第３突起部とを備え、
前記第４突起部は、前記第３突起部よりも下流側に配置され、
前記第４突起部は、前記第２外観部材に対する前記通水路部材の下流側への移動を、前記通水路部材の前記第３突起部と当接することにより規制するようになっている請求項２又は３に記載のシャワーヘッド。
【発明の詳細な説明】
【技術分野】
【０００１】
本発明は、シャワーヘッドに係り、特に、外観部材の内部に通水路部材が配置された構造のシャワーヘッドに関する。
【背景技術】
【０００２】
近年、シャワーヘッドは形状、外観、吐水方法の進化に伴い、シャワーヘッドを構成する部品の細分化が進んでいる。そのため、シャワーヘッドの構成部品が増えてきている。特に、シャワーヘッドの外観部材を複数の部品に分割する構成が多くなってきており、これらの構成部品を固定するための様々な固定方法が提案されている。
【０００３】
特開2014-108272号公報（特許文献１）には、シャワーヘッドが、シャワーヘッド本体と、その前面に取付けられるカバー体と、シャワーヘッド本体に収納される接続管とを有する構造が開示されている。このシャワーヘッドにおいては、接続管がシャワーヘッド本体にビスにより固定されている。よって接続管がビス止め用の取付け部を有し、シャワーヘッド本体がビスを受け入れる固定用部材を有している。また、カバー体が、複数の係止爪を有し、一部の係止爪と接続管と、又は一部の係止爪とシャワーヘッド本体とが係合するスナップフィット構造を形成するようになっている。
【０００４】
特許第4773875号公報（特許文献２）には、シャワーヘッドが、シャワーヘッド本体と、シャワーヘッド本体の中に通されるパイプと、シャワーヘッド本体の基端部からシャワーヘッド本体内に挿入されてパイプを把持部内に収容固定するジョイントとを有する構造が開示されている。このシャワーヘッドにおいては、ジョイントがシャワーヘッド本体内の内周面に沿った外周面を有し、ジョイントの外周面とシャワーヘッド本体の内周面とが係合するようになっている。このジョイントをシャワーヘッド本体内に固定するために、ブッシュをシャワーヘッド本体の外部からジョイントの内部まで挿入して固定する必要があった。さらに、シャワーフェイスがシャワーヘッド本体に係止されるスナップフィット構造を形成するようになっている。
【先行技術文献】
【特許文献】
【０００５】
【特許文献１】特開2014-108272号公報
【特許文献２】特許第4773875号公報
【発明の概要】
【発明が解決しようとする課題】
【０００６】
しかしながら、特許文献１に示すような、従来の固定方法においては、外観部材と通水路部材をビスにより固定するためのビスを受けるボスのスペースを設ける必要があるため、強度を高めるために使用者が持つ持ち手部分の径が太くなり使い勝手が悪くなるなどの問題があった。また、デザイン性を優先させるために、スナップフィット構造を採用しようとすれば、スナップフィット構造が衝撃に対し比較的外れやすいため、衝撃に対し弱くなるという問題があった。
【０００７】
また、特許文献２に示すような、従来の固定方法においては、シャワーヘッド本体とジョイントを全周にわたって係合させ、さらに、シャワーヘッド本体の外側からブッシュをジョイント内部まで挿入する構造を設ける必要があるため、使用者が持つ持ち手部分の径が太くなり使い勝手が悪くなるなどの問題があった。さらに、ジョイントがシャワーヘッド本体の外観に露出した状態となるため、設計上も好ましくないという問題があった。また、デザイン性を優先させるために、シャワーフェイスの取付け構造のようなスナップフィット構造を採用しようとすれば、衝撃に対し弱くなるという問題があった。
【０００８】
従って、本発明は、第１スライド機構及び第２スライド機構により、通水路部材を介して第１外観部材と第２外観部材とが接続され、従来のシャワーヘッドにおいて用いられている外観部材と通水路部材をビスにより固定するためのビスを受けるボスのスペースを設ける必要がなくなり、外観部材と通水路部材との接続に必要なスペースを比較的小さくすることができ、シャワーヘッドの把持部の径を小径化することができ、第１スライド機構及び第２スライド機構は、衝撃を受けた場合に、第１外観部材及び第２外観部材が容易に外れてしまうことを防止することができるシャワーヘッドを提供することを目的としている。
【課題を解決するための手段】
【０００９】
上記の目的を達成するために、本発明は、外観部材の内部に通水路部材が配置された構造のシャワーヘッドであって、供給された湯水が通水される通水路部材と、通水路部材に接続され、流入した湯水を吐出させる散水部と、通水路部材を覆う外観部材と、を備え、外観部材は、通水路部材に沿って分割される第１外観部材と第２外観部材とを備え、第１外観部材と、第２外観部材とは、これらの間に通水路部材を挟み込むようにして配置し、第１外観部材および通水路部材は、一方に通水方向に沿った溝部を形成する第１溝部を有し、他方に第１溝部と係合する第１突起部を有しており、第１溝部は通水方向に延びる第１溝部外側凸部と第１溝部中央側凸部との間に形成され、第１溝部内に第１突起部を通水方向にスライドさせて受け入れることにより前記第１外観部材の開き方向の移動を規制するように前記第１溝部外側凸部と前記第１溝部中央側凸部との間に前記第１突起部が配置され、第１溝部と第１突起部とが第１外観部材と通水路部材とを係合する第１スライド機構を形成し、第２外観部材および通水路部材は、一方に通水方向に沿った溝部を形成する第２溝部を有し、他方に第２溝部と係合する第２突起部を有しており、第２溝部は通水方向に延びる第２溝部外側凸部と第２溝部中央側凸部との間に形成され、第２溝部と、第２突起部とが、第２溝部内に第２突起部を通水方向にスライドさせて受け入れることにより前記第２外観部材の開き方向の移動を規制するように前記第２溝部外側凸部と前記第２溝部中央側凸部との間に前記第２突起部が配置され、第２溝部と第２突起部とが第２外観部材と通水路部材とを係合する第２スライド機構を形成し、第１スライド機構の第１外観部材と通水路部材とが係合され、第２スライド機構の通水路部材と第２外観部材とが係合されることにより、通水路部材を介して第１外観部材と第２外観部材とが接続され、全体が一体化されることを特徴としている。
このように構成された本発明によれば、本発明は、第１外観部材の開き方向の移動を規制するように第１溝部外側凸部と第１溝部中央側凸部との間に第１突起部が配置され、第１スライド機構の第１外観部材と通水路部材とが係合される。また、第２外観部材の開き方向の移動を規制するように第２溝部外側凸部と第２溝部中央側凸部との間に第２突起部が配置され、第２スライド機構の通水路部材と第２外観部材とが係合されることにより、通水路部材を介して第１外観部材と第２外観部材とが接続され、全体が一体化される。従って、従来のシャワーヘッドにおいて用いられている外観部材と通水路部材をビスにより固定するためのビスを受けるボスのスペースを設ける必要がなくなり、外観部材と通水路部材との接続に必要なスペースを比較的小さくすることができ、シャワーヘッドの把持部の径を小径化することができる。
また、従来のシャワーヘッドにおいて用いられている第１外観部材と第２外観部材とがスナップフィットにより固定されている場合とは異なり、本発明においては第１スライド機構及び第２スライド機構により、通水方向に沿った第１溝部に第１外観部材の開き方向の移動を規制するように第１突起部が係合し、 通水方向に沿った第２溝部に第２外観部材の開き方向の移動を規制するように第２突起部が係合し、通水路部材の回転方向の動きを規制でき、外観部材が通水方向以外の向きに外れにくくなっている。従って、第１スライド機構及び第２スライド機構は、衝撃を受けた場合に、第１外観部材及び第２外観部材が容易に外れてしまうことを防止することができる。
よって、シャワーヘッドの把持部を小型化すると共に、耐衝撃性を向上させることができる。
【００１０】
本発明において、好ましくは、さらに、外観部材に対する通水路部材の通水方向の移動を規制する規制手段を備え、第１スライド機構の第１突起部が、第１溝部内の所定位置までスライドされたとき、外観部材に対する通水路部材の通水方向の移動が前記規制手段によって規制され、第２スライド機構の第２突起部が、第２溝部内の所定位置までスライドされたとき、外観部材に対する通水路部材の通水方向の移動が規制手段によって規制されることを特徴としている。
このように構成された本発明においては、第１スライド機構の第１突起部が、第１溝部内の所定位置までスライドされたとき、外観部材に対する通水路部材の通水方向の移動が規制手段によって規制されることができる。また、第２スライド機構の第２突起部が、第２溝部内の所定位置までスライドされたとき、外観部材に対する通水路部材の通水方向の移動が規制手段によって規制されることができる。
【００１１】
本発明において、好ましくは、規制手段は、第１外観部材に設けられた第１突起部と、通水路部材に設けられた第２突起部とを備え、第１突起部は、第２突起部よりも上流側に配置され、第１突起部は、第１外観部材に対する通水路部材の上流側への移動を、通水路部材の第２突起部と当接することにより規制するようになっていることを特徴としている。
このように構成された本発明においては、好ましくは、規制手段は、第１突起部は、通水路部材の上流側への移動を、通水路部材の第２突起部と当接することにより規制するようになっている。すなわち、通水路部材が上流側方向に移動されること例えば引き抜きの動きにより移動されることを、従来のシャワーヘッドに用いられているようなビスやブッシュなどにより規制する必要がなくなる。よって、ビスにより固定するためのビスを受けるボスのスペースを設ける必要がなくなり、さらに、ブッシュを設けるためのスペースを設ける必要がなくなる。よって、シャワーヘッドの把持部を小型化することができる。
【００１２】
本発明において、好ましくは、規制手段は、第２外観部材に設けられた第４突起部と、通水路部材に設けられた第３突起部とを備え、第４突起部は、第３突起部よりも下流側に配置され、第４突起部は、第２外観部材に対する通水路部材の下流側への移動を、通水路部材の第３突起部と当接することにより規制するようになっていることを特徴としている。
このように構成された本発明においては、好ましくは、規制手段は、第４突起部は、通水路部材の下流側への移動を、通水路部材の前記第３突起部と当接することにより規制するようになっている。すなわち、通水路部材が下流側方向に移動されること例えば押し込みの動きにより移動されることを、従来のシャワーヘッドに用いられているようなビスやブッシュなどによりする必要がなくなる。よって、ビスにより固定するためのビスを受けるボスのスペースを設ける必要がなくなり、さらに、ブッシュを設けるためのスペースを設ける必要がなくなる。よって、シャワーヘッドの把持部を小型化することができる。
【発明の効果】
【００１３】
本発明のシャワーヘッドは、第１スライド機構及び第２スライド機構により、通水路部材を介して第１外観部材と第２外観部材とが接続され、従来のシャワーヘッドにおいて用いられている外観部材と通水路部材をビスにより固定するためのビスを受けるボスのスペースを設ける必要がなくなり、外観部材と通水路部材との接続に必要なスペースを比較的小さくすることができ、シャワーヘッドの把持部の径を小径化することができ、第１スライド機構及び第２スライド機構は、衝撃を受けた場合に、第１外観部材及び第２外観部材が容易に外れてしまうことを防止することができる。
【図面の簡単な説明】
【００１４】
【図１】本発明の一実施形態によるシャワーヘッドを示す斜視図である。
【図２】本発明の一実施形態によるシャワーヘッドを示す分解斜視図である。
【図３】本発明の一実施形態によるシャワーヘッドを示す正面図である。
【図４】図３のIV-IV線に沿って取った断面の断面図である。
【図５】図３のV-V線に沿って取った断面の断面図である。
【図６】図３のVI-VI線に沿って取った断面の断面図である。
【図７】本発明の一実施形態によるシャワーヘッドのヘッド部分において、散水部を取り外した状態で、通水路部材と、外観部材とが固定されている様子を説明する図である。
【図８】本発明の一実施形態によるシャワーヘッドの通水路部材において、第１スライド機構及び規制手段を正面から見た正面図である。
【図９】本発明の一実施形態によるシャワーヘッドの通水路部材において、第１スライド機構、第２スライド機構及び規制手段を側面から見た側面図である。
【図１０】本発明の一実施形態によるシャワーヘッドの外観部材の第１外観部材を背面側から見た斜視図である。
【図１１】本発明の一実施形態によるシャワーヘッドの外観部材の第２外観部材を正面側から見た斜視図である。
【図１２】図４のXII-XII線に沿って取った断面の断面図である。
【図１３】図４のXIII-XIII線に沿って取った断面の断面図である。
【図１４】本発明の一実施形態によるシャワーヘッドにおける、第１外観部材と通水路部材との間の規制手段を拡大して説明する部分拡大図である。
【図１５】本発明の一実施形態によるシャワーヘッドにおける、第２外観部材と通水路部材との間の規制手段を拡大して説明する部分拡大図である。
【図１６】本発明の一実施形態によるシャワーヘッドにおける、第１外観部材と、通水路部材と、第２外観部材とを組み立てる組み立て方法を説明する図である。
【発明を実施するための形態】
【００１５】
以下、添付図面を参照して本発明のシャワーヘッドの一実施形態について説明する。
図１は、本発明の一実施形態によるシャワーヘッドを示す斜視図であり、図２は本発明の一実施形態によるシャワーヘッドを示す分解斜視図であり、図３は本発明の一実施形態によるシャワーヘッドを示す正面図であり、図４は図３のIV-IV線に沿って取った断面の断面図である。
【００１６】
図１乃至図４に示すように、本実施形態のシャワーヘッド１は、シャワーヘッド本体２を備え、このシャワーヘッド本体２の上流側端部には、給水源（図示せず）に接続された湯水混合水栓装置等（図示せず）から延びる給水ホース（図示せず）が接続されて給水源（図示せず）からの給水が供給される給水口２ａが形成されている。
本実施形態のシャワーヘッド１への湯水の給水及び止水は、使用者が湯水混合水栓装置等（図示せず）に内蔵された元バルブ（図示せず）を操作して給水と止水とを切り換えることにより行うことができる。
一方、シャワーヘッド本体２の下流側端部に位置するヘッド部２ｂには、複数の散水孔４が形成された散水板６が取り付けられており、シャワーヘッド本体２の給水口２ａからシャワーヘッド本体２内に流入した湯水は、散水板６から突出する各散水孔４から吐水され、シャワー吐水が行われるようになっている。
また、シャワーヘッド本体２の給水口２ａとヘッド部２ｂとの間の部分は、使用時にシャワーヘッド本体２の所定の取付位置（例えば壁掛け位置等）から取り外して把持可能な把持部２ｃとなっている。
【００１７】
なお、本発明において使用する用語「湯水」は、湯水混合水栓装置等において温度調節されて湯と水が混合された湯水のみならず、外部水道から給水された水のみを給水させてこの水に湯を混合させていない水、適温まで加熱され水を混合させていない湯も含む意味で使用されている。
また、本発明においては、シャワーヘッド１の散水板６から洗浄水が吐水される側を、正面側（前方側）とし、正面側から見てシャワーヘッド１の裏側を背面側（後方側）とし、正面側から見てシャワーヘッド１の右側を右側とし、正面側から見てシャワーヘッド１の左側を左側として説明する。
また、本発明においては、図３及び図４に示すように、通水方向Ｄ１は、シャワーヘッド本体２の長手方向となっている。通水方向Ｄ１は、下流向きの方向及び上流向きの方向のいずれも含み、通水路に対して平行な方向の意義を有している。
【００１８】
次に、図２乃至図４を参照して、本発明の実施形態によるシャワーヘッド１の内部構造を説明する。
シャワーヘッド本体２は、供給された湯水が通水される通水路部材８と、通水路部材８に接続され、流入した湯水を吐出させる散水部１０と、通水路部材８を覆う外観部材１２と、外観部材１２及び通水路部材８により形成され、外観部材１２に対する通水路部材８の軸方向の移動を規制する規制手段（規制機構）１４と、を備えている。
【００１９】
通水路部材８は、概ね筒形の通水路部材を形成し、シャワーヘッド本体２の給水口２ａからヘッド部２ｂまで延びている。通水路部材８は、内部に湯水を通水する。通水路部材８は、外観部材１２内に配置され、外観部材１２に対して、回転方向Ｄ２及び軸方向（通水方向）Ｄ１の移動を規制するように取付けられる。回転方向Ｄ２は、中心に対して右回転、左回転のいずれの回転も含む回転の方向の意義を有している。
【００２０】
通水路部材８は、シャワーホース（図示せず）に接続される第１通水路部材１６と、この第１通水路部材１６よりヘッド部２ｂ側に延びる第２通水路部材１８とを有している。
【００２１】
第１通水路部材１６は、細長い筒状の部材であり、その基端部は、シャワーホース（図示せず）が接続される給水口２ａを形成している。第１通水路部材１６の外側に設けられる外観部材１２の少なくとも一部は、使用者が把持可能な把持部２ｃを形成している。
【００２２】
第２通水路部材１８は、その基端部が第１通水路部材１６の先端に接続される筒状の部材であり、その先端はヘッド部２ｂ近傍まで延びている。第２通水路部材１８と第１通水路部材１６の間には第１Ｏリング２２が配置され、これらの部材の間の水密性が確保されている。第２通水路部材１８の外側に設けられる外観部材１２の少なくとも一部は、使用者が把持可能な把持部２ｃを形成している。
【００２３】
散水部１０は、シャワーヘッド本体２の正面側に散水孔４が多数設けられている散水板６と、通水路部材８から供給された洗浄水を、散水板６の裏側全体に広げながら各散水孔４に供給する流路を形成する散水室部２８と、散水室部２８と第２通水路部材１８との間を接続する散水部通水路２０と、を有している。
【００２４】
散水板６は前面が円形に形成され、且つ多数の開口が形成され、この多数の開口から各散水孔４が前方に向かってわずかに突出するように配置されている。散水孔４は、散水板６の裏側から表側まで貫通する流路を形成している。散水孔４は、散水板６の裏側に形成される散水室内の洗浄水を、自身の開口方向に沿って、正面側に吐水できるようになっている。図２等に示すように、散水板６の後側部分はその外周部分６ａが円筒状に後方に延び、且つ中心が後方に開口され、この後側の部分の外周部分６ａを外観部材１２内にはめ込むようにして取付けるようになっている。
【００２５】
散水室部２８は、散水部通水路２０の前方側の開口部２６内に、自身の後部が受け入れられ、散水部通水路２０と接続される。これにより、散水部通水路２０と散水室部２８が連結される。
散水室部２８は、散水部通水路２０から散水板６の散水孔４に向かう流れを形成する。散水室部２８は、その内部において、散水部通水路２０から正面側に延びる散水室流路３０を形成している。
この散水室流路３０は、下端部の加速部３０ａに向って通水路が徐々に狭められるように形成されている。この加速部３０ａにおいては、通水路が狭められているので、湯水が加速され、加速された湯水は、下流側に形成されている散水室３０ｂから散水板に設けられた各散水孔４を通って外部へ勢いよく吐出されるようになっている。
このような、通水路部材８と散水部１０との流路の構成により、シャワー吐水時にシャワーヘッド本体２の給水口２ａから流入した水は、第１通水路部材１６から、第２通水路部材１８、及び、散水部通水路２０を経て、散水室部２８に流入する。散水室部２８に流入した洗浄水は、加速部３０ａにおいて加速され、散水室３０ｂから散水孔４を通って外部へ吐出されるようになっている。
【００２６】
散水部通水路２０は、その上流側が第２通水路部材１８の先端に接続され、その先端部はヘッド部２ｂの中央近傍まで延びている。散水部通水路２０の上流側部分に第２通水路部材１８の先端が挿入されて互いに連結される。第２通水路部材１８と散水部通水路２０の間には第２Ｏリング２４が配置され、これらの部材の間の水密性が確保されている。この散水部通水路２０の先端部には、散水室部２８が前方側から接続されるようになっている。散水部通水路２０の下流端は、シャワーヘッド１の正面側に向かって円形に開口した開口部２６を形成している。その開口部２６には、円形開口から外側に突出した右側ビス取付部分２６ａ、左側ビス取付部分２６ｂ、及び頂部ビス取付部分２６ｃが設けられている。
【００２７】
外観部材１２は、通水路部材８に沿って分割される第１外観部材３２と第２外観部材３４とを備えている。より具体的には、外観部材１２は、シャワーヘッド本体２の正面側の外観部材１２の少なくとも一部を形成している第１外観部材３２と、シャワーヘッド本体２の背面側の外観部材１２の少なくとも一部を形成している第２外観部材３４と、を備えている。第１外観部材３２と、第２外観部材３４とは、これらの間に通水路部材８を挟み込むようにして配置される。
【００２８】
第１外観部材３２は、シャワーヘッド本体２の正面側において、散水板６の下方からシャワーヘッド本体２の給水口２ａまで延びている。第２外観部材３４は、シャワーヘッド本体２の背面側において、シャワーヘッド本体２のヘッド部２ｂの背面側からシャワーヘッド本体２の給水口２ａまで延びている。第１外観部材３２及び第２外観部材３４は、後述するように互いに取付けた状態において、使用者が第１外観部材３２及び第２外観部材３４を握りやすい比較的小径の把持部２ｃを形成するようになっている。
なお、本実施形態においては、外観部材１２は、前後方向の中央近傍において、正面側の第１外観部材３２と背面側の第２外観部材３４とに通水路部材８に沿って長手方向に分割されているが、他の実施形態においては、外観部材１２は、正面側又は背面側等の他の位置において、正面側の第１外観部材３２と背面側の第２外観部材３４とに通水路部材８に沿って長手方向に分割されていてもよい。
【００２９】
第１外観部材３２と第２外観部材３４とは、シャワーヘッド本体２のヘッド部２ｂにおいて、第１外観部材３２の第１ビス取付部分３２ａと、第２外観部材３４の第１ビス受けボス部３４ａと、がビス３６の締結により比較的強固に固定され、さらに、第１外観部材３２の第２ビス取付部分３２ｂと、第２外観部材３４の第２ビス受けボス部３４ｂと、がビス３６の締結により比較的強固に固定されている。シャワーヘッド本体２のヘッド部２ｂにおける、ビス３６による取付け部分は、比較的強固に固定できるものの、ビス３６を受け入れるためのビス受けボス部３４ａ、３４ｂのスペースを必要とする。シャワーヘッド本体２のヘッド部２ｂにおいては、これらのビス受けボス部の設置スペースが確保されている。
【００３０】
また、第２外観部材３４には、さらに、ヘッド部２ｂにおける第２外観部材３４の内面から前方側に立ち上がる第３ビス受けボス部３４ｃと、第４ビス受けボス部３４ｄと、及び第５ビス受けボス部３４ｅと、が形成されている。
従って、散水部１０の散水部通水路２０と第２外観部材３４とは、シャワーヘッド本体２のヘッド部２ｂにおいて、散水部通水路２０の右側ビス取付部分２６ａと、第２外観部材３４の第３ビス受けボス部３４ｃと、がビス３６の締結により比較的強固に固定されるようになっている。同様に、ヘッド部２ｂにおいて、散水部通水路２０の左側ビス取付部分２６ｂと、第２外観部材３４の第４ビス受けボス部３４ｄと、がビス３６の締結により比較的強固に固定されるようになっている。同様に、ヘッド部２ｂにおいて、散水部通水路２０の頂部ビス取付部分２６ｃと、第２外観部材３４の第５ビス受けボス部３４ｅと、がビス３６の締結により比較的強固に固定されるようになっている。
【００３１】
次に図５乃至図１３を参照して、シャワーヘッド本体２の把持部２ｃ近傍における、通水路部材８、第１外観部材３２及び第２外観部材３４の詳細な構造について説明する。
図５は図３のV-V線に沿って取った断面の断面図であり、図６は図３のVI-VI線に沿って取った断面の断面図であり、図７は本発明の一実施形態によるシャワーヘッドのヘッド部分において、散水部を取り外した状態で、通水路部材と、外観部材とが固定されている様子を説明する図であり、図８は本発明の一実施形態によるシャワーヘッドの通水路部材において、第１スライド機構及び規制手段を正面から見た正面図であり、図９は本発明の一実施形態によるシャワーヘッドの通水路部材において、第１スライド機構、第２スライド機構及び規制手段を側面から見た側面図であり、図１０は本発明の一実施形態によるシャワーヘッドの外観部材の第１外観部材を背面側から見た斜視図であり、図１１は本発明の一実施形態によるシャワーヘッドの外観部材の第２外観部材を正面側から見た斜視図であり、図１２は図４のXII-XII線に沿って取った断面の断面図であり、図１３は図４のXIII-XIII線に沿って取った断面の断面図である。
【００３２】
第１外観部材３２および通水路部材８のうち一方は、通水方向に沿った溝部を形成する第１溝部３８を有し、他方は、第１溝部３８と嵌合する第１突起部３２ｄを備えている。
本実施形態においては、通水路部材８の第１通水路部材１６が、通水方向に沿った溝部を形成する第１溝部３８を有している。また、本実施形態においては、第１外観部材３２は、第１溝部３８と係合する第１突起部３２ｄを有している。
【００３３】
第１通水路部材１６は、概ね筒形の通水路部材の外周面から外方に向かって突出する第１列凸部１６ａと、第１列凸部１６ａから外周方向に所定間隔をあけてずらした位置で、第１通水路部材１６の外周面から外方に向かって突出する中央列凸部１６ｂと、中央列凸部１６ｂから外周方向に所定間隔をあけてずらした位置で、第１通水路部材１６の外周面から外方に向かって突出する第２列凸部１６ｃとを備えている。
第１列凸部１６ａは、通水路部材８がシャワーヘッド１内に配置される状態で、シャワーヘッド１の側方の前方側において２つの凸部が通水方向に列状に並んで形成されている。中央列凸部１６ｂは、通水路部材８がシャワーヘッド１内に配置される状態で、シャワーヘッド１の側方の中央近傍において２つの凸部が通水方向に列状に並んで形成されている。第２列凸部１６ｃは、通水路部材８がシャワーヘッド１内に配置される状態で、シャワーヘッド１の側方の後方側において２つの凸部が通水方向に列状に並んで形成されている。
第１列凸部１６ａ、中央列凸部１６ｂ及び第２列凸部１６ｃは、それぞれ、通水路部材８がシャワーヘッド１内に配置される状態で、正面から見て、中心軸Ｃに対して、右側領域と、左側領域とに、左右対称となるように通水路部材８の外周面上に２組配置されている。
【００３４】
図２及び図９等に示すように、第１列凸部１６ａと、中央列凸部１６ｂとが、平行に並んで配置され、第１列凸部１６ａと、中央列凸部１６ｂとの間に第１溝部３８を形成している。第１溝部３８は通水方向に沿って直線的に並んだ２つの溝部を形成している。よって、第１溝部３８は、通水路部材８の外周面上において通水方向に沿って延びる溝部を形成している。
なお、第１溝部３８は通水方向Ｄ１に沿って一定の長さにわたって延びる１つの溝部であってもよく、通水方向Ｄ１に沿って並んで配置される２つ以上の数の独立した溝部であってもよい。また、第１溝部３８は、正面から見て、通水路部材８の外周面上の右側領域及び左側領域において異なる形状、すなわち、中心軸に対して、左右非対称の形状を有するように形成されていてもよい。
【００３５】
図２及び図９等に示すように、中央列凸部１６ｂと、第２列凸部１６ｃとが、平行に並んで配置され、中央列凸部１６ｂと、第２列凸部１６ｃとの間に第２溝部４２を形成している。第２溝部４２は通水方向に沿って直線的に並んだ２つの溝部を形成している。よって、第２溝部４２は、通水路部材８の外周面上において通水方向に沿って延びる溝部を形成している。
なお、第２溝部４２は通水方向Ｄ１に沿って一定の長さにわたって延びる１つの溝部であってもよく、通水方向Ｄ１に沿って並んで配置される２つ以上の数の独立した溝部であってもよい。また、第２溝部４２は、正面から見て、通水路部材８の外周面上の右側領域及び左側領域において異なる形状、すなわち、中心軸に対して、左右非対称の形状を有するように形成されていてもよい。
【００３６】
第１外観部材３２は、シャワーヘッド１の前面に配置された状態で、シャワーヘッド１の側方側の内周面から内側に突出する２つの第１突起部３２ｄが通水方向に列状に並んで配置されている。第１突起部３２ｄは、通水方向Ｄ１に沿って直線的に並んだ２つの凸部を形成している。第１突起部３２ｄは、自身のヘッド側及び給水口側の面が、後述のようにスライドしながら第１溝部３８内に挿入しやすいように斜めの面を形成している。
第１突起部３２ｄは、第１外観部材３２がシャワーヘッド１の前面に配置された状態で、正面から見て、シャワーヘッド１の側方の両側において、中心軸に対して、左右対称となるように配置されている。よって、第１突起部３２ｄは、第１外観部材３２の内周面上において通水方向Ｄ１に沿って並んで配置される突起部を形成している。
なお、第１突起部３２ｄは通水方向Ｄ１に沿って一定の長さにわたって延びる１つの突起部であってもよく、通水方向Ｄ１に沿って並んで配置される２つ以上の数の独立した突起部であってもよい。また、第１突起部３２ｄは、正面から見て、第１外観部材３２の内周面上の右側領域及び左側領域において異なる形状、すなわち、中心軸に対して、左右非対称の形状を有するように形成されていてもよい。
【００３７】
第２外観部材３４は、シャワーヘッド１の後面に配置された状態で、シャワーヘッド１の側方側の内周面から内側に突出する２つの第２突起部３４ｆが通水方向に列状に並んで配置されている。第２突起部３４ｆは、通水方向に沿って直線的に並んだ２つの凸部を形成している。第２突起部３４ｆは、自身のヘッド側及び給水口側の面が、後述のようにスライドしながら第２溝部４２内に挿入されやすいように斜めの面を形成している。
第２突起部３４ｆは、第２外観部材３４がシャワーヘッド１の後面に配置された状態で、正面から見て、シャワーヘッド１の側方の両側において、中心軸に対して、左右対称となるように配置されている。よって、第２突起部３４ｆは、第２外観部材３４の内周面上において通水方向に沿って並んで配置される突起部を形成している。
なお、第２突起部３４ｆは通水方向Ｄ１に沿って一定の長さにわたって延びる１つの突起部であってもよく、通水方向Ｄ１に沿って並んで配置される２つ以上の数の独立した突起部であってもよい。また、第２突起部３４ｆは、正面から見て、第２外観部材３４の内周面上の右側領域及び左側領域において異なる形状、すなわち、中心軸に対して、左右非対称の形状を有するように配置されていてもよい。
【００３８】
次に図２、５、６、８、９、１０、１１、１４及び１５を参照して、第１スライド機構、第２スライド機構及び規制手段１４の詳細について説明する。
図１４は本発明の一実施形態によるシャワーヘッドにおける、第１外観部材と通水路との間の規制手段を拡大して説明する部分拡大図であり、図１５は本発明の一実施形態によるシャワーヘッドにおける、第２外観部材と通水路との間の規制手段を拡大して説明する部分拡大図である。
【００３９】
第１溝部３８と、第１突起部３２ｄとが、第１溝部３８内に第１突起部３２ｄを通水方向Ｄ１に沿うようにスライドさせて受け入れることにより第１外観部材３２と通水路部材８とを係合する第１スライド機構４４を形成している。すなわち、第１スライド機構４４は、第１溝部３８と、第１突起部３２ｄとを備えている。第１スライド機構４４の第１外観部材３２と通水路部材８とが係合されることにより、通水路部材８と第１外観部材３２とが接続される。
第１スライド機構４４は、第１溝部３８と、第１突起部３２ｄとが係合された状態で、第１外観部材３２に対して、通水路部材８の回転方向の移動、例えば回動、ホース等を給水口に取付ける場合に受けるねじりの力による移動、シャワーヘッドを落として衝撃を受ける場合等に受ける開きの方向の移動等を規制するようになっている。第１スライド機構４４は、第１突起部３２ｄを第１溝部３８に対してスライド移動させる方向、すなわち、第１外観部材３２に対して、通水路部材８を通水方向に移動させることが可能になっている。また、第１スライド機構４４は、第１溝部３８と、第１突起部３２ｄとが係合された状態となるので、第１外観部材３２に対して、通水路部材８がシャワーヘッドの前後方向に移動することが規制され且つこれらの部材が外れにくくなっている。
また、通水方向に沿って、第１溝部３８と、第１突起部３２ｄとが接する面積を、比較的大きくすることができるので、把持部２ｃの径を増大しなくても、これらの部材の接続の強度を向上させることができる。
【００４０】
第２溝部４２と、第２突起部３４ｆとが、第２溝部４２内に第２突起部３４ｆを通水方向Ｄ１に沿うようにスライドさせて受け入れることにより第２外観部材３４と通水路部材８とを係合する第２スライド機構４６を形成している。すなわち、第２スライド機構４６は、第２溝部４２と、第２突起部３４ｆとを備えている。第２スライド機構４６の通水路部材８と第２外観部材３４とが嵌合されることにより、通水路部材８と第２外観部材３４とが接続される。
第２スライド機構４６は、第２溝部４２と、第２突起部３４ｆとが係合された状態で、第２外観部材３４に対して、通水路部材８の回転方向の移動、例えば回動、ねじりの移動、開きの移動等を規制するようになっている。第２スライド機構４６は、第２突起部３４ｆを第２溝部４２に対してスライド移動させる方向、すなわち、第２外観部材３４に対して、通水路部材８を通水方向に移動させることが可能になっている。また、第２スライド機構４６は、第２溝部４２と、第２突起部３４ｆとが係合された状態となるので、第２外観部材３４に対して、通水路部材８がシャワーヘッドの前後方向に移動することが規制され且つこれらの部材が外れにくくなっている。
また、通水方向に沿って、第２溝部４２と、第２突起部３４ｆとが接する面積を、比較的大きくすることができるので、把持部２ｃの径を増大しなくても、これらの部材の接続の強度を向上させることができる。
【００４１】
このように、本発明においては、第１スライド機構４４及び第２スライド機構４６により、第１外観部材３２と通水路部材８とを外れにくく接続することができ、同様に第２外観部材３４と通水路部材８とを外れにくく接続することができる。
これに対し、従来のシャワーヘッドにおいては、外観部材と通水路部材をビスにより強固に固定するためのビスを受ける比較的大きなボスのスペースを設ける必要があり、このためシャワーヘッドの把持部の径が比較的大きなものとなっていた。
一方、本発明においては、第１スライド機構４４及び第２スライド機構４６を用いて接続することにより、第１外観部材３２と通水路部材８、及び、第２外観部材３４と通水路部材８をビスにより固定するためのビスを受けるボスのスペースを設ける必要がなくなり、第１外観部材３２と通水路部材８との接続及び第２外観部材３４と通水路部材８との接続に必要なスペースを比較的小さくすることができ、シャワーヘッド１の把持部２ｃの径を小径化及び小型化することができる。
【００４２】
また、従来のシャワーヘッドにおいては、外観部材と通水路部材をスナップフィットにより簡易に固定することも検討されている。外観部材と通水路部材をスナップフィットにより固定すれば、上述のようなビスを受ける比較的大きなボスのスペースを設ける必要がなくなる。しかしながら、使用者がシャワーヘッドを落とす等して、シャワーヘッドに衝撃が加わる場合に、外観部材と通水路部材を固定するスナップフィットが衝撃に弱く外れやすいという問題がある。
一方、本発明においては、第１スライド機構４４及び第２スライド機構４６を用いて接続することにより、第１外観部材３２と通水路部材８、及び、第２外観部材３４と通水路部材８が、シャワーヘッド１の前後方向において外れにくい構造となっている。さらに、規制手段１４により、通水路部材８が、第１外観部材３２から引き抜かれるようにして外れることを防止すると共に、通水路部材８が第２外観部材３４に対して過度に押し込まれるよことを防止することができる。従って、第１外観部材３２と通水路部材８、及び、第２外観部材３４と通水路部材８が、外れにくい構造となっており、耐衝撃性が向上されている。
【００４３】
規制手段１４は、外観部材１２及び通水路部材８により形成されている。具体的には、第１スライド機構４４の第１突起部３２ｄが、図６に示すような、第１溝部３８内の所定位置（適正位置）までスライドされたとき、及び第２スライド機構４６の第２突起部３４ｆが、第２溝部４２内の所定位置（適正位置）までスライドされたときに、規制手段１４が外観部材１２に対する通水路部材８の軸方向の移動を規制する。
【００４４】
規制手段１４は、第１外観部材３２および第２外観部材３４のいずれか一方に設けられた第１横方向リブ３２ｅと、通水路部材８に設けられた第２横方向リブ１６ｄと、通水路部材８に設けられた第３横方向リブ１６ｅと、第１外観部材３２および第２外観部材３４のいずれか一方に設けられた第４横方向リブ３４ｇと、を備えている。
【００４５】
本実施形態においては、規制手段１４の第１横方向リブ３２ｅは、第１外観部材３２に設けられている。規制手段１４の第１横方向リブ３２ｅは、第１外観部材３２の内周面から内側に突出し、シャワーヘッド本体２の正面方向から見て左右方向（横断方向）に延びる壁状の面を形成している。
第１横方向リブ３２ｅは、第１外観部材３２の内周面から中央から先端側が左右に向けて広がるようなハの字形に形成されている。第１横方向リブ３２ｅがハの字形に拡がった内側に第１通水路部材１６が配置されることとなる。また、第１横方向リブ３２ｅは、その先端側（内側）が内周面側よりもややヘッド部２ｂよりに配置されるように、ヘッド部２ｂ側に向かって傾斜して形成されている。
また、第１横方向リブ３２ｅは、その中央において中央溝部３２ｆが形成されている。中央溝部３２ｆに通水路部材８の第１長手方向中央リブ１６ｆが係合されることにより、第１外観部材３２と、通水路部材８との互いの位置が回転方向にずれることを抑制することができ、第１横方向リブ３２ｅと、第２横方向リブ１６ｄとを適切に当接されることができる。
【００４６】
第２横方向リブ１６ｄは、通水路部材８の正面側の表面に設けられている。規制手段１４の第２横方向リブ１６ｄは、通水路部材８の外周面から外側に突出し、シャワーヘッド本体２の正面方向から見て左右方向に延びる壁状の面を形成している。第２横方向リブ１６ｄは、通水路部材８の外周面の中央から左右に向けて延びるような横方向の壁形状に形成されている。また、第２横方向リブ１６ｄは、その先端側（外側）が通水路部材８の外周面側の基部よりもやや給水口２ａよりに配置されるように、先端が給水口２ａ側に向かって傾斜して形成されている。第２横方向リブ１６ｄは、その中央において通水路部材８の第１長手方向中央リブ１６ｆと交差するようになっている。第１長手方向中央リブ１６ｆは、シャワーヘッド本体２の正面方向から見て正面部の中央において、通水路部材８の外周面に沿って通水方向Ｄ１に延びるリブ部を形成している。
第２横方向リブ１６ｄの第１長手方向中央リブ１６ｆは、第１横方向リブ３２ｅの中央溝部３２ｆと係合されることにより、第１外観部材３２と、通水路部材８との互いの位置が回転方向にずれることを抑制することができ、第１横方向リブ３２ｅと、第２横方向リブ１６ｄとを適切に当接させることができる。
【００４７】
第１スライド機構４４の第１突起部３２ｄが、図６に示すような第１溝部３８内の所定位置までスライドされたとき、第１横方向リブ３２ｅに、後述する通水路部材８の第２横方向リブ１６ｄが当接し、第１外観部材３２に対して、通水路部材８のスライドによる移動（通水方向に沿った向きの移動）が停止され、その移動が規制されるようになっている。なお、第１スライド機構４４の第１突起部３２ｄが、図６に示すような第１溝部３８内の所定位置までスライドされたとき、第１横方向リブ３２ｅと第２横方向リブ１６ｄとの間に公差等による隙間が残る場合にも、第１外観部材３２に対して、通水路部材８のスライドによる移動が規制されるようになっている。
なお、本実施形態においては、第１横方向リブ３２ｅと、第２横方向リブ１６ｄとは、横断方向に延びる壁面を形成しているが、第１横方向リブ３２ｅは、第１外観部材３２の内周面から内側に突出する突起部であってもよく、第２横方向リブ１６ｄは、第１通水路部材１６の外周面から外側に突出する突起部であってもよい。また、第１横方向リブ３２ｅ及び第２横方向リブ１６ｄは、それぞれ複数の突起部によって構成されていてもよい。
【００４８】
このような構成により、第１横方向リブ３２ｅと、第２横方向リブ１６ｄとは、通水路部材８が、第１外観部材３２から引き抜かれるような向きに移動にして互いの接続状態が外れることを防止する引き抜き防止機構を形成している。
【００４９】
本実施形態においては、規制手段１４の第４横方向リブ３４ｇは、第２外観部材３４に設けられている。規制手段１４の第４横方向リブ３４ｇは、第２外観部材３４の内周面から内側に突出し、シャワーヘッド本体２の正面方向から見て左右方向に延びる壁状の面を形成している。第２外観部材３４に設けられた第４横方向リブ３４ｇは、第１外観部材３２に設けられた第１横方向リブ３２ｅに対して後方側の概ね対抗する位置に配置されている。
第４横方向リブ３４ｇは、第２外観部材３４の内周面から先端側が中央から左右に向けて広がるようなハの字形に形成されている。第４横方向リブ３４ｇが内側に向かってハの字形に拡がったその内側に第１通水路部材１６が配置されることとなる。また、第４横方向リブ３４ｇは、その先端側（内側）が内周面側の基部よりもやや給水口２ａよりに配置されるように、給水口２ａ側に向かって傾斜して形成されている。
また、第４横方向リブ３４ｇは、その中央において第２中央溝部３４ｈが形成されている。第２中央溝部３４ｈに通水路部材８の第２長手方向中央リブ１６ｇが係合されることにより、第２外観部材３４と、通水路部材８との互いの位置が回転方向にずれることを抑制することができ、第４横方向リブ３４ｇと、第３横方向リブ１６ｅとを適切に当接されることができる。
【００５０】
第３横方向リブ１６ｅは、通水路部材８の後方側の表面に設けられている。規制手段１４の第３横方向リブ１６ｅは、通水路部材８の外周面から外側に突出し、シャワーヘッド本体２の正面方向から見て左右方向に延びる壁状の面を形成している。
第３横方向リブ１６ｅは、通水路部材８の外周面の中央から左右に向けて延びるような横断方向の壁面を有している。また、第３横方向リブ１６ｅは、その先端側（外側）が通水路部材８の外周面側よりもややヘッド部２ｂよりに配置されるように、ヘッド部２ｂ側に向かって傾斜して形成されている。第３横方向リブ１６ｅは、その中央において通水路部材８の背面の第２長手方向中央リブ１６ｇと交差するようになっている。第２長手方向中央リブ１６ｇは、シャワーヘッド本体２の正面方向から見て背面部の中央において、通水路部材８の外周面に沿って通水方向に延びるリブ部を形成している。
第２長手方向中央リブ１６ｇは、第４横方向リブ３４ｇの第２中央溝部３４ｈと係合されることにより、第２外観部材３４と、通水路部材８との互いの位置が回転方向にずれることを抑制することができ、第３横方向リブ１６ｅと、第４横方向リブ３４ｇとを適切に当接されることができる。
【００５１】
第２スライド機構４６の第２突起部３４ｆが、第２溝部４２内の所定位置までスライドされたとき、第４横方向リブ３４ｇに、後述する通水路部材の第３横方向リブ１６ｅが当接し、第２外観部材３４に対して、通水路部材のスライドによる移動（通水方向に沿った向きの移動）が停止され、その移動が規制されるようになっている。第２スライド機構４６の第２突起部３４ｆが、第２溝部４２内の所定位置までスライドされたとき、第４横方向リブ３４ｇと第３横方向リブ１６ｅとの間に公差等による隙間が残る場合にも、第２外観部材３４に対して、通水路部材のスライドによる移動が規制されるようになっている。
なお、本実施形態においては、第３横方向リブ１６ｅと、第４横方向リブ３４ｇとは、横断方向に延びる壁面を形成しているが、第４横方向リブ３４ｇは、第２外観部材３４の内周面から内側に突出する突起部であってもよく、第３横方向リブ１６ｅは、通水路部材８の外周面から外側に突出する突起部であってもよい。また、第３横方向リブ１６ｅと、第４横方向リブ３４ｇは、それぞれ複数の突起部によって構成されていてもよい。
【００５２】
このような構成により、第４横方向リブ３４ｇと、第３横方向リブ１６ｅとは、通水路部材８が、第２外観部材３４に対して押し込まれるような向きに移動して互いの接続状態が外れることを防止する押し込み防止機構を形成している。
【００５３】
また、このような構成により、第１スライド機構４４においては、第１列凸部１６ａと、中央列凸部１６ｂとが、第１突起部３２ｄの回転方向Ｄ２への移動を規制する通水方向Ｄ１に沿った規制面を形成している。第２スライド機構４６においては、第２列凸部１６ｃと、中央列凸部１６ｂとが、第２突起部３４ｆの回転方向Ｄ２への移動を規制する通水方向Ｄ１に沿った規制面を形成している。
規制手段１４においては、第１横方向リブ３２ｅが、第２横方向リブ１６ｄの通水方向Ｄ１への移動を規制する主に左右方向Ｄ３に沿った規制面を形成している。同様に、規制手段１４においては、第４横方向リブ３４ｇが、第３横方向リブ１６ｅの通水方向Ｄ１への移動を規制する主に左右方向Ｄ３に沿った規制面を形成している。
【００５４】
次に、図２、図３、図５及び図１６等を参照して、本発明の一実施形態によるシャワーヘッド１の通水路部材、第１外観部材及び第２外観部材の組立方法を説明する。
図１６は、本発明の一実施形態によるシャワーヘッドにおける、第１外観部材と、通水路部材と、第２外観部材とを組み立てる組み立て方法を説明する図である。
図１６において、図１６（ａ）は、本発明の一実施形態によるシャワーヘッドにおける、第１通水路部材１６と、第２通水路部材１８と、散水部通水路２０とを組み立てる工程を説明する図であり、図１６（ｂ）は、本発明の一実施形態によるシャワーヘッドにおける、第１外観部材３２と、第１通水路部材１６及び第２通水路部材１８及び散水部通水路２０と、を組み立てる工程を説明する図である。図１６（ｃ）は、本発明の一実施形態によるシャワーヘッドにおける、第１外観部材３２に取付けられた通水路部材８等と、第２外観部材３４と、を組み立てる工程を説明する図であり、図１６（ｄ）は、本発明の一実施形態によるシャワーヘッドにおける、第１外観部材３２と、第２外観部材３４とをビスにより固定し、さらに、散水部通水路２０と、第２外観部材３４とをビスにより固定する工程を説明する図であり、図１６（ｅ）は、本発明の一実施形態によるシャワーヘッドにおける、散水部１０の散水板６と散水室部２８とを、シャワーヘッド本体２のヘッド部２ｂにねじ込んで固定する工程を説明する図である。
【００５５】
先ず、図１６（ａ）に示すように、シャワーヘッド１の通水路部材８の第１通水路部材１６の先端側を、矢印Ａ１に示すように、第２通水路部材１８の給水口側の部分内に挿入し、通水路部材８の第１通水路部材１６と第２通水路部材１８とが一体に連結した状態とされる。
また、矢印Ａ２に示すように、通水路部材８の第２通水路部材１８の下流側部分を、散水部１０の散水部通水路２０の上流側部分に挿入し、通水路部材８の第２通水路部材１８と散水部１０の一部の散水部通水路２０とを連結する。
よって、第１通水路部材１６と、第２通水路部材１８と、散水部通水路２０とが一体に接続された状態となる。
【００５６】
次に、図１６（ｂ）に示すように、第１通水路部材１６と、第２通水路部材１８と、散水部通水路２０とが一体に接続された部材を、第１外観部材３２の背面側の内周面に沿って配置し、矢印Ａ３に示すように、シャワーヘッド本体２のヘッド部２ｂから給水口２ａ側に向かう方向にスライドさせる。従って、第１外観部材３２と通水路部材８との間に形成されている第１スライド機構４４において、第１外観部材３２の第１突起部３２ｄが第１通水路部材１６の第１溝部３８内にヘッド部２ｂの方向に向かってスライド移動される。第１スライド機構４４の第１突起部３２ｄが、第１溝部３８内の所定位置までスライドされたとき、規制手段１４の第２横方向リブ１６ｄと、第１横方向リブ３２ｅとが当接し、第１外観部材３２に対して第１通水路部材１６がこれ以上矢印Ａ３に示す方向に移動しないように規制される。この状態において、図６に示すような、第１スライド機構４４の第１突起部３２ｄが、第１溝部３８内の所定位置にある状態において、第１外観部材３２に対して、通水路部材８の回転方向の移動等を規制するようになっている。従って、通水路部材８が第１外観部材３２に一体となるように取付けられた状態となる。
【００５７】
次に、図１６（ｃ）に示すように、通水路部材８と、第１外観部材３２とが一体に取付けられた状態で、通水路部材８の背面側を、第２外観部材３４の内面側に向けて沿うように配置し、矢印Ａ４に示すように、シャワーヘッド本体２の給水口２ａ側からヘッド部２ｂ側に向かう方向にスライドさせる。従って、第２外観部材３４と通水路部材８との間に形成されている第２スライド機構４６において、第２外観部材３４の第２突起部３４ｆが第１通水路部材１６の第２溝部４２内に給水口２ａの方向に向かってスライド移動される。第２スライド機構４６の第２突起部３４ｆが、第２溝部４２内の所定位置までスライドされたとき、規制手段１４の第４横方向リブ３４ｇと、第３横方向リブ１６ｅとが当接し、第２外観部材３４に対して第１通水路部材１６がこれ以上矢印Ａ４に示す方向に移動しないように規制される。この状態において、図６に示すような、第２スライド機構４６の第２突起部３４ｆが、第２溝部４２内の所定位置にある状態において、第２外観部材３４に対して、通水路部材８の回転方向の移動等を規制するようになっている。
【００５８】
次に、図１６（ｄ）に示すように、シャワーヘッド本体２のヘッド部２ｂにおいて、第１外観部材３２の第１ビス取付部分３２ａと、第２外観部材３４の第１ビス受けボス部３４ａと、がビス３６の締結により比較的強固に固定され、さらに、第１外観部材３２の第２ビス取付部分３２ｂと、第２外観部材３４の第２ビス受けボス部３４ｂと、がビス３６の締結により比較的強固に固定される。
また、シャワーヘッド本体２のヘッド部２ｂにおいて、散水部通水路２０の右側ビス取付部分２６ａと、第２外観部材３４の第３ビス受けボス部３４ｃと、がビス３６の締結により比較的強固に固定される。同様に、散水部通水路２０の左側ビス取付部分２６ｂと、第２外観部材３４の第４ビス受けボス部３４ｄと、がビス３６の締結により比較的強固に固定される。同様に、散水部通水路２０の頂部ビス取付部分２６ｃと、第２外観部材３４の第５ビス受けボス部３４ｅと、がビス３６の締結により比較的強固に固定されるようになっている。
従って、散水部１０が第２外観部材３４に固定され、さらに第１外観部材３２が第２外観部材３４に固定された状態となる。
【００５９】
最後に、図１６（ｅ）に示すように、散水部１０の散水板６及び散水室部２８を散水部通水路２０の正面側に接続させる。すなわち、第１外観部材３２及び第２外観部材３４がヘッド部２ｂにおいて形成している円形開口内に、散水部１０の散水板６及び散水室部２８がねじ込みされて接続される。
よって、シャワーヘッド本体２において、第１外観部材３２及び第２外観部材３４が通水路部材８を介して接続され、第１外観部材３２、第２外観部材３４及び通水路部材８が一体とされた状態となる。
【００６０】
なお、本実施形態においては、最初に、第１通水路部材１６と、第２通水路部材１８と、散水部通水路２０とが一体に接続された部材を、第１外観部材３２に一体となるように取付けているが、他の実施形態においては、最初に、通水路部材８を、第２外観部材３４に取付けてもよい。すなわち、通水路部材８の背面側を、第２外観部材３４の内面側に向けて沿うように配置し、シャワーヘッド本体２の給水口２ａ側からヘッド部２ｂ側に向かう方向にスライドさせる。従って、第２外観部材３４と通水路部材８との間に形成されている第２スライド機構４６において、第２外観部材３４の第２突起部３４ｆが第１通水路部材１６の第２溝部４２内に給水口２ａの方向に向かってスライド移動される。第２スライド機構４６の第２突起部３４ｆが、第２溝部４２内の所定位置までスライドされたとき、規制手段１４の第４横方向リブ３４ｇと、第３横方向リブ１６ｅとが当接し、第２外観部材３４に対して第１通水路部材１６がこれ以上下流方向に移動しないように規制される。
【００６１】
上述の他の実施形態においては、次に、通水路部材８と、第２外観部材３４とが一体に取付けられた状態で、通水路部材８の正面側を、第１外観部材３２の背面側の内周面に沿って配置し、シャワーヘッド本体２のヘッド部２ｂから給水口２ａ側に向かう方向にスライドさせる。従って、第１外観部材３２と通水路部材８との間に形成されている第１スライド機構４４において、第１外観部材３２の第１突起部３２ｄが第１通水路部材１６の第１溝部３８内にヘッド部２ｂの方向に向かってスライド移動される。第１スライド機構４４の第１突起部３２ｄが、第１溝部３８内の所定位置までスライドされたとき、規制手段１４の第２横方向リブ１６ｄと、第１横方向リブ３２ｅとが当接し、第１外観部材３２に対して第１通水路部材１６がこれ以上上流方向に移動しないように規制される。従って、通水路部材８が第１外観部材３２に一体となるように取付けられた状態となる。
【００６２】
上述の他の実施形態においては、このように、通水路部材８と、第１外観部材３２と、第２外観部材３４とを、本実施形態と異なる順序により組立てる工程を有することが出来る。なお、上述の他の実施形態において、上述のように通水路部材８と、第１外観部材３２と、第２外観部材３４とを、組立てた後、本実施形態の図１６（ｄ）に示す工程及び図１６（ｅ）に示す工程については、本実施形態と同様の工程を行うことができるため、説明を省略する。
【００６３】
次に、上述した本発明の本実施形態によるシャワーヘッド１の効果を説明する。
上述した本発明の一実施形態によるシャワーヘッド１によれば、第１スライド機構４４の第１外観部材３２と通水路部材８とが係合され、第２スライド機構４６の通水路部材８と第２外観部材３４とが係合されることにより、通水路部材８を介して第１外観部材３２と第２外観部材３４とが接続され、全体が一体化される。従って、従来のシャワーヘッドにおいて用いられている外観部材と通水路部材をビスにより固定するためのビスを受けるボスのスペースを設ける必要がなくなり、外観部材３２、３４と通水路部材８との接続に必要なスペースを比較的小さくすることができ、シャワーヘッド１の把持部２ｃの径を小径化することができる。
また、従来のシャワーヘッドにおいて用いられている外観部材同士がスナップフィットにより固定されている場合とは異なり、本発明においては第１スライド機構４４及び第２スライド機構４６により、通水方向Ｄ１に沿った第１溝部３８に第１突起部３２ｄが併合し、さらに、通水方向Ｄ１に沿った第２溝部４２に第２突起部３４ｆが併合し、外観部材３２、３４が通水方向以外の向きに外れにくくなっている。従って、第１スライド機構４４及び第２スライド機構４６は、衝撃を受けた場合に、第１外観部材３２及び第２外観部材３４が容易に外れてしまうことを防止することができる。
よって、シャワーヘッド１の把持部２ｃを小型化すると共に、耐衝撃性を向上させることができる。
【００６４】
本発明の一実施形態によるシャワーヘッド１によれば、第１スライド機構４４の第１突起部３２ｄが、第１溝部３８内の所定位置までスライドされたとき、第１外観部材３２に対する通水路部材８の通水方向Ｄ１の移動が規制手段１４によって規制されることができる。
また、第２スライド機構４６の第２突起部３４ｆが、第２溝部４２内の所定位置までスライドされたとき、第２外観部材３４に対する通水路部材８の通水方向Ｄ１の移動が規制手段１４によって規制されることができる。
【００６５】
本発明の一実施形態によるシャワーヘッド１によれば、規制手段１４は、通水路部材８の上流側への移動を、第１横方向リブ３２ｅに、通水路部材８の第２横方向リブ１６ｄが当接することにより規制するようになっている。すなわち、通水路部材８が上流側方向に移動されること例えばシャワーヘッド本体２に対する引き抜きの動きにより移動されることを、従来のシャワーヘッドに用いられているようなビスやブッシュなどにより規制する必要がなくなる。よって、ビス３６により固定するためのビスを受けるボスのスペースを設ける必要がなくなり、さらに、ブッシュを設けるためのスペースを設ける必要がなくなる。よって、シャワーヘッド１の把持部２ｃを小型化することができる。
【００６６】
本発明の一実施形態によるシャワーヘッド１によれば、規制手段１４は、第４横方向リブ３４ｇは、通水路部材８の下流側への移動を、通水路部材８の第３横方向リブ１６ｅと当接することにより規制するようになっている。すなわち、通水路部材８が下流側方向に移動されること例えばシャワーヘッド本体２に対する押し込みの動きにより移動されることを、従来のシャワーヘッドに用いられているようなビスやブッシュなどによりする必要がなくなる。よって、ビス３６により固定するためのビスを受けるボスのスペースを設ける必要がなくなり、さらに、ブッシュを設けるためのスペースを設ける必要がなくなる。よって、シャワーヘッド１の把持部２ｃを小型化するとことができる。
【符号の説明】
【００６７】
１      シャワーヘッド
２      シャワーヘッド本体
２ａ    給水口
２ｂ    ヘッド部
２ｃ    把持部
４      散水孔
６      散水板
６ａ    外周部分
８      通水路部材
１０    散水部
１２    外観部材
１４    規制手段
１６    通水路部材
１６ａ  第１列凸部
１６ｂ  中央列凸部
１６ｃ  第２列凸部
１６ｄ  第２横方向リブ
１６ｅ  第３横方向リブ
１６ｆ  第１長手方向中央リブ
１６ｇ  第２長手方向中央リブ
１８    第２通水路部材
２０    散水部通水路
２２    第１Ｏリング
２４    第２Ｏリング
２６    開口部
２６ａ  右側ビス取付部分
２６ｂ  左側ビス取付部分
２６ｃ  頂部ビス取付部分
２８    散水室部
３０ａ  加速部
３０ｂ  散水室
３０    散水室流路
３２    第１外観部材
３２ａ  第１ビス取付部分
３２ｂ  第２ビス取付部分
３２ｄ  第１突起部
３２ｅ  第１横方向リブ
３２ｆ  中央溝部
３４    第２外観部材
３４ａ  第１ビス受けボス部
３４ｂ  第２ビス受けボス部
３４ｃ  第３ビス受けボス部
３４ｄ  第４ビス受けボス部
３４ｅ  第５ビス受けボス部
３４ｆ  第２突起部
３４ｇ  第４横方向リブ
３４ｈ  中央溝部
３６    ビス
３８    第１溝部
４０    第１突起部
４２    第２溝部
４４    第１スライド機構
４６    第２スライド機構
Ａ１    矢印
Ａ２    矢印
Ａ３    矢印
Ａ４    矢印
Ｃ      中心軸
Ｄ１    通水方向
Ｄ２    回転方向
Ｄ３    左右方向
【図１】
0006525132.tif 000002
【図２】
0006525132.tif 000003
【図３】
0006525132.tif 000004
【図４】
0006525132.tif 000005
【図５】
0006525132.tif 000006
【図６】
0006525132.tif 000007
【図７】
0006525132.tif 000008
【図８】
0006525132.tif 000009
【図９】
0006525132.tif 000010
【図１０】
0006525132.tif 000011
【図１１】
0006525132.tif 000012
【図１２】
0006525132.tif 000013
【図１３】
0006525132.tif 000014
【図１４】
0006525132.tif 000015
【図１５】
0006525132.tif 000016
【図１６】
0006525132.tif 000017